(57)【要約】【課題】  メイン引戸とサブ引戸が互いに連動して出入口を開閉することが出来る２連式引戸装置であって、点検パネルの高さ寸法を小さく抑えることで外観を抑え、一方メイン引戸とサブ引戸の連動開閉動作がスムーズに行える２連式引戸装置の提供。【解決手段】  サブ引戸３は上レール５に吊車６，６を介して吊設されると共にメイン引戸２が収納される収納空間１１を有し、メイン引戸２はその戸先側を上レール５に吊車７を介して吊設すると共に戸尻側は上記サブ引戸３の収納空間内に水平に設けたスライドレール９にスライダー１０を介して吊設し、そして、サブ引戸３の上端であって上レール５の下側にはメイン引戸２とサブ引戸３の連動機構を備えている。【選択図】    図２
2006233597.tif 000002
【特許請求の範囲】
【請求項１】
メイン引戸とサブ引戸が互いに連動して出入口を開閉することが出来る２連式引戸装置において、サブ引戸は上レールに吊車を介して吊設されると共にメイン引戸が収納される収納空間を有し、メイン引戸はその戸先側を上レールに吊車を介して吊設すると共に戸尻側は上記サブ引戸の収納空間内に水平に設けたスライドレールにスライダーを介して吊設し、そして、サブ引戸の上端であって上レールの下側にはメイン引戸とサブ引戸の連動機構を備えたものであり、該連動機構はサブ引戸上端戸先側から延ばしたアーム先端と戸尻側にローラーを軸支し、両ローラーに巻き掛けしたワイヤーの一点に取着した金具をフレーム側に固定し、対向位置にあるワイヤーに取着した金具をメイン引戸上端に固定したことを特徴とする２連式引戸装置。
【請求項２】
上記スライダーとメイン引戸上端との間には高さ調整ネジを介在した請項１記載の２連式引戸装置。
【発明の詳細な説明】
【技術分野】
【０００１】
本発明はメイン引戸とサブ引戸を有し、互いに連動して出入口を開閉することが出来る２連式引戸装置に関するものである。
【背景技術】
【０００２】
出入り口を開閉する為の手段として引戸が用いられる場合は多く、該引戸はその上端に取付けられている吊車を介して上レールに吊設され、該上レールに沿ってスライドすることが出来る。ところで、該引戸は出入り口幅より大きく成っていて、出入り口を開口した際には戸袋に収納されることになるが、この戸袋の幅寸法は引戸幅より大きく成っている。従って、大きな幅の出入り口に引戸を装着する場合には、引戸の幅寸法が大きくなると共に、開いた際に収納される戸袋寸法も必然的に大きく成ってしまう。
【０００３】
そこで、メイン引戸とサブ引戸が互いに連動する２連式の引戸装置が用いられ、出入り口を閉じる場合には並列状態にあるメイン引戸とサブ引戸が引き伸ばされ、出入り口を開いて戸袋に収納される場合には、メイン引戸とサブ引戸は互いに並列状態に納まることが出来る。従って、メイン引戸及びサブ引戸の寸法、並びに戸袋寸法は１連式引戸の場合に比較して約半分と成る。
【０００４】
図５は従来の２連式引戸装置の概略を表している横断面であり、(ａ)は出入り口(イ)が閉じられている場合、(ｂ)は出入り口(イ)が開口している場合である。２連式引戸はメイン引戸(ロ)とサブ引戸(ハ)から成って両引戸は互いに連動し、メイン引戸(ロ)を前進・後退することでサブ引戸(ハ)も前進・後退動することが出来るように構成している。連動機構は色々あるが、一般的にはサブ引戸(ハ)の上端両側に軸支したプーリーにベルトを巻き掛け、このベルトは上レール側に１点が固定されると共に別の一点はメイン引戸(ハ)と連結している。
【０００５】
従って、メイン引戸(ロ)のスライド運動はベルトの循環運動を介してサブ引戸に伝達され、メイン引戸(ロ)のスライド距離はサブ引戸(ハ)のスライド距離に対して２倍の大きさとなる。従って、同図(ａ)に示す位置にあるメイン引戸(ロ)が後退して出入り口(イ)が開口するならば、(ｂ)のようにメイン引戸(ロ)はサブ引戸(ハ)と並列状態に成って戸袋(ニ)に収納される。
【０００６】
この場合、２連式引戸が戸袋(ニ)から引き出されて出入り口(イ)が閉じている状態では、該戸袋(ニ)の入口に比較的大きな空間(ホ)が形成され、この空間(ホ)からメイン引戸(ロ)が戸袋(ニ)に収納されるが、この際、該空間(ホ)に手を入れているならばメイン引戸(ロ)に挟まれてしまう。一方、メイン引戸(ロ)とサブ引戸(ハ)とは互いに並列関係にあり、引戸装置としての外観が好ましくない。
【０００７】
そこで、サブ引戸内に収納空間を形成し、出入口を開く際には該収納空間にメイン引戸が収納するように構成した２連式引戸装置が知られている。特許第３４４７５９６号に係る「壁収納型引戸装置」、特許第３４６１７７０号に係る「壁収納型引戸装置」、特許第３５３６２００号に係る「壁収納型引戸装置」はメイン引戸をサブ引戸に形成した収納空間に収納することが出来る構造とした従来の２連式引戸装置である。
【０００８】
上記壁収納型引戸装置では後扉(サブ引戸)を引戸走行用レールに吊設し、前扉(メイン引戸)の戸先側を同じく引戸走行用レールに吊設すると共に戸尻側を後扉の上部に設けた支持用レールに吊設している。ところで、メイン引戸及びサブ引戸を吊設するには吊車を使用するほうが安定した走向が可能となるが、メイン引戸及びサブ引戸の全てを吊車にて吊設したのでは、吊設部分の高さ寸法が大きく成り、ひいてはこの部分をカバーする為の点検パネルの寸法拡大と成って、２連式引戸装置の外観が損なわれる。
【０００９】
特許第３４４７５９６号に係る「壁収納型引戸装置」の場合、及び特許第３５３６２００号に係る「壁収納型引戸装置」の場合には、前扉上端及び後扉上端には吊車が取着されている。一方の特許第３４６１７７０号に係る「壁収納型引戸装置」は、スライドレールが用いられている。しかも、該スライドレールは起立した状態で取付けられている。
【００１０】
そして、前扉と後扉は互いに連動してスライド開閉する構造と成っているが、この前後扉を繋ぐ連動手段が引戸走向用レールの上方に設けられている。その為に、前後扉の重心位置から大きく離れ、扉の挙動(ハネ上がり)をもたらし、開閉操作に支障を来たす場合もある。
【特許文献１】特許第３４４７５９６号に係る「壁収納型引戸装置」
【特許文献２】特許第３４６１７７０号に係る「壁収納型引戸装置」
【特許文献３】特許第３５３６２００号に係る「壁収納型引戸装置」
【発明の開示】
【発明が解決しようとする課題】
【００１１】
このように、従来の２連式引戸装置には上記のごとき問題がある。本発明が解決しようとする課題はこれら問題点であり、点検パネルの高さ寸法が小さくて外観が好ましく、又メイン引戸とサブ引戸の連動開閉操作がスムーズに行われるように構成した２連式引戸装置を提供する。
【課題を解決するための手段】
【００１２】
本発明に係る２連式引戸装置は互いに連動するメイン引戸とサブ引戸を備え、そしてサブ引戸には収納空間が形成され、出入口を開く際にはメイン引戸がサブ引戸の収納空間に収納されるように構成している。勿論、戸袋を有している為に、サブ引戸は戸袋空間に収納される。出入口上部には上レールが設けられ、該上レールにはサブ引戸が吊車を介して吊設され、メイン引戸の戸先側に取着した吊車も上レールに載って転動する。すなわち、メイン引戸の戸先側は吊車を介して上レールに吊設される。
【００１３】
又、サブ引戸の収納空間上部にはスライドレールが取付けられ、該スライドレールにメイン引戸の戸尻側がスライダーを介して吊設されている。しかもスライドレールは水平に配置される。そして、メイン引戸とサブ引戸を連動する手段は上レールの下方であってメイン引戸上端との間に設けている。一方、メイン引戸の戸尻側上端はスライドレールにスライダーを介して吊設されるが、高さ調整ネジを連結することもある。
【発明の効果】
【００１４】
本発明に係る２連式引戸装置はメイン引戸とサブ引戸から成って、出入口を開く場合にはサブ引戸に設けている収納空間にメイン引戸が収納される形態と成っている為に、２連式引戸装置の外観は好ましい。そして、上レールにはサブ引戸の吊車、及びメイン引戸の戸先側吊車が走行し、メイン引戸の戸尻側は水平に配置したスライドレールに吊設されるために、吊設部分をカバーする点検パネルの高さ寸法は小さく成って、２連式引戸装置の外観はよくなる。その結果、出入口高さ寸法を大きくすることが出来る。
【００１５】
一方、メイン引戸とサブ引戸の連動手段を上レールの下側に設けることで、各引戸の重心からの距離が小さく成り、その為に２連式引戸装置の連動開閉操作に際して各引戸のハネ上がり現象はなくなり、スムーズな開閉操作が実現できる。そして、メイン引戸の戸尻側上端には高さ調整ネジを介してスライドレールに連結することで、該メイン引戸の傾きが調整され、閉じた際のメイン引戸の戸先と戸当たりとの間に隙間を生じることはない。
【実施例】
【００１６】
図１、図２は本発明に係る２連式引戸装置の正面図であり、図１は出入口１を開いた状態、図２は出入口１が閉じられている場合を示している。同図の２はメイン引戸、３はサブ引戸、４は戸袋、５は上レールを夫々表している。上記サブ引戸３の上端両サイドには吊車６，６が取着され、該吊車６，６は上レール５に載って転動することが出来る。
【００１７】
メイン引戸２の戸先側上端には別の吊車７が取着され、戸尻側の上端には高さ調整ネジ８が起立している。上記吊車７は上レール５に載って転動し、高さ調整ネジ８はスライドレール９をスライドするスライダー１０と連結している。そして、サブ引戸３には収納空間１１が形成され、出入口１を開く際にはサブ引戸３の収納空間１１にメイン引戸２が収納される。
【００１８】
又、戸袋４には戸袋空間１２が設けられ、出入口１を開く場合には、戸袋空間１２にサブ引戸３が収納され、同時にサブ引戸３の収納空間１１にメイン引戸２が収納される。すなわち、図１のように納まる。そして、出入口１を閉じる場合には、メイン引戸２の戸先側に取付けてあるハンドル１３を持って引くならば、図２のようにサブ引戸３は戸袋空間１２から引き出され、メイン引戸２はサブ引戸３の収納空間１１から引き出される。
【００１９】
メイン引戸２の戸先が戸当り１４に隙間なく当接するように、スライダー１０と連結している高さ調整ネジ８を調整してメイン引戸２の傾きを無くすことが出来る。メイン引戸２とサブ引戸３は互いに連動して出入口１を開閉するように構成しているが、図３は出入口１を開いてメイン引戸２がサブ引戸３の収納空間１１に収納されている場合を示す連動機構を表している。
【００２０】
サブ引戸３の戸先側上端にはアーム１５を延ばし、該アーム１５の先端と戸尻にローラー１６ａ，１６ｂを回転可能に軸支し、両ローラー１６ａ，１６ｂにはワイヤー１７を巻き掛けしている。そして、巻き掛けたワイヤー１７の適当な一点に設けた金具１８をフレーム(上レール側)に固定し、他の金具１９をメイン引戸２の上端に取着している。
【００２１】
従って、メイン引戸２のハンドル１３を握って引く場合、金具１９はメイン引戸２と共に移動し、同時に両ローラー１６ａ，１６ｂに巻き掛けられているワイヤー１７は循環する。しかし、ワイヤー１７の一点に設けた金具１８はフレームに固定されている為に両ローラー１６ａ，１６ｂは１／２の距離だけ移動する。その為に、両ローラー１６ａ，１６ｂを取着しているサブ引戸３の移動距離が１／２となり、図１の状態にあるメイン引戸２は図２に示すようにサブ引戸３から引き出されて出入口１を閉鎖する。
【００２２】
図４は図２におけるＡ−Ａ断面，Ｂ−Ｂ断面，Ｃ−Ｃ断面の上端部を表している。(ａ)に示すように、上レール５に吊車６のローラー２０が載っていて、該吊車６にてサブ引戸３が吊設されている。サブ引戸３の上端部にはフレーム２１が取着され、該フレーム２１の上端に吊車６が取着されており、フレーム２１の下側にはスライドレール９を水平に取付けている。このスライドレール９にはスライダー１０がスライド可能な状態で組付けられ、該スライダー１０から高さ調整ネジ８が垂下してメイン引戸２の戸尻側上端に連結している。
【００２３】
図４(ｂ)に示すように、メイン引戸２の戸先側上端は、上レール５に載って転動する吊車７から下方へ延びる吊具２２と連結している。サブ引戸３はその上端両サイドに取着した吊車６，６を介して上レール５に吊設されているが、メイン引戸２はその戸先側が吊車７を介して上レール５に吊設され、戸尻側はスライダー１０を介して上記スライドレール９に吊設されている。ここで、スライドレール９が水平に配置されている為に、上レール５からメイン引戸２の上端までの距離は小さくなる。従って、点検パネル２３の高さ寸法を抑える効果がある。
【図面の簡単な説明】
【００２４】
【図１】本発明に係る２連式引戸装置で出入口を開いた状態。
【図２】本発明に係る２連式引戸装置で出入口を閉じた状態。
【図３】メイン引戸とサブ引戸の連動機構を示す具体例。
【図４】(ａ)は図２のＡ−Ａ断面の上端部拡大図、(ｂ) は図２のＢ−Ｂ断面の上端部拡大図、(ｃ) は図２のＣ−Ｃ断面の上端部拡大図。
【図５】従来の一般的な２連式引戸装置の概略図。
【符号の説明】
【００２５】
１  出入口
２  メイン引戸
３  サブ引戸
４  戸袋
５  上レール
６  吊車
７  吊車
８  高さ調整ネジ
９  スライドレール
10  スライダー
11  収納空間
12  戸袋空間
13  ハンドル
14  戸当り
15  アーム
16  ローラー
17  ワイヤー
18  金具
19  金具
20  ローラー
21  フレーム
22  吊具
23  点検パネル
【図１】
2006233597.tif 000003
【図２】
2006233597.tif 000004
【図３】
2006233597.tif 000005
【図４】
2006233597.tif 000006
【図５】
2006233597.tif 000007